(57)【要約】【課題】簡単に画像の複写を行うことができるデータ複写装置を提供する。【解決手段】装置本体１２には、複数種類のカードスロット１８ａ〜１８ｄが備えられている。複写元とするメモリカードをカードスロット１８ａ〜１８ｄに装着し、複写実行を指示すると、複写元のメモリカードに格納されている画像が読み出され、内部メモリ２４に記録される。内部メモリ２４の空きがなくなった場合、外部メモリとしてのＵＳＢメモリ４２に記録される。内部メモリ２４とＵＳＢメモリ４２に記録された画像は、複写指示に応じて光ディスクメディアスロット２０ａに装着された光ディスクメディア６０に一括して記録される。【選択図】      図１
2007193605.tif 000002
【特許請求の範囲】
【請求項１】
装置本体と、
前記装置本体に設けられた内部記憶手段と、
前記装置本体に設けられ、外部記憶手段が装着される外部記憶手段装着部と、
前記装置本体に設けられ、複写元となる記憶メディアが装着される複数の複写元記憶メディア装着部と、
前記装置本体に設けられ、複写先となる記憶メディアが装着される複写先記憶メディア装着部と、
前記複写元記憶メディア装着部に装着された各記憶メディアからデータを読み出して前記内部記憶手段及び／又は前記外部記憶手段装着部に装着された外部記憶手段に記録し、前記内部記憶手段及び／又は前記外部記憶手段に記録したデータを一括して前記複写先記憶メディア装着部に装着された記憶メディアに記録する記録制御手段と、
からなることを特徴とするデータ複写装置。
【請求項２】
前記複写元記憶メディア装着部の少なくとも一つを選択する選択手段を前記装置本体に備え、該選択手段で選択された複写元記憶メディア装着部を前記外部記憶手段装着部として使用することを特徴とする請求項１に記載のデータ複写装置。
【請求項３】
前記記録制御手段は、前記複写元記憶メディア装着部に装着された各記憶メディアから読み出したデータを前記内部記憶手段に記録し、該内部記憶手段の空き容量が足りなくなると、前記外部記憶手段装着部に装着された外部記憶手段に残りのデータを記録することを特徴とする請求項１又は２に記載のデータ複写装置。
【請求項４】
前記記録制御手段は、前記外部記憶手段装着部に装着された外部記憶手段の空き容量が足りなくなると、前記外部記憶手段装着部に交換して装着された外部記憶手段に残りのデータを記録することを特徴とする請求項３に記載のデータ複写装置。
【請求項５】
外部機器と無線でデータの送受信を行う無線通信手段を前記装置本体に備え、前記記録制御手段は、前記複写元記憶メディア装着部に装着された各記憶メディアからデータを読み出すとともに、前記無線通信手段を介して前記外部機器からデータを読み出して、前記内部記憶手段及び／又は前記外部記憶手段装着部に装着された外部記憶手段に記録することを特徴とする請求項１、２、３又は４に記載のデータ複写装置。
【請求項６】
前記複写先記憶メディア装着部に記録メディアとして光ディスクメディアが装着されることを特徴とする請求項１、２、３、４又は５に記載のデータ複写装置。
【発明の詳細な説明】
【技術分野】
【０００１】
本発明はデータ複写装置に係り、特に複数の記憶メディアから一括して複写先の記憶メディアにデータの複写が可能なデータ複写装置に関する。
【背景技術】
【０００２】
デジタルカメラでは、撮影により得られた画像を着脱可能なメモリカードに記録するのが一般的である。
【０００３】
しかし、メモリカードの容量は少なく、旅行など一度にたくさんの画像を撮影する場合には、多数枚のメモリカードが必要となるという問題があった。
【０００４】
そこで、このような不具合を解消すべく、特許文献１では、メモリカードに記録されている画像データを読み出し、ＣＤ−Ｒに記録する装置が提案している。同様に特許文献２では、メモリカードに記録されている画像データを読み出し、ＺＩＰディスク（商品名）に記録する装置が提案されている。また、メモリカードに記録されている画像データを内蔵するハードディスク装置（ＨＤＤ）に記録する装置も提案されている。
【特許文献１】特開２０００−３１１１０６号公報
【特許文献２】特開２００２−１７０３２１号公報
【発明の開示】
【発明が解決しようとする課題】
【０００５】
ところで、親しい者同士で旅行などに出掛けると、各参加者がカメラを持参しているような場合がある。このような場合、上記従来の複写装置を用いて画像データをＣＤ−Ｒ等に複写することにより、各参加者が撮影した画像を他の参加者に配布することができるが、上記従来の複写装置は、一対一の複写を前提としたものであるため、複数のデジタルカメラで撮影した画像を交換し合う場合、記憶メディアを何回も抜き差しして複写する必要があり、大変面倒であった。また、何回も抜き差しすることにより、事故で画像データが消失してしまうという危険もあった。
【０００６】
また、内蔵するＨＤＤに画像データを記録する装置の場合、記憶メディアからＨＤＤへの記録は一括して行うことができるが、ＨＤＤから記憶メディアへの記録は一括して行うことができず、複写のたびに画像データを個別に選択して複写しなければならなかった。このため、複写作業に大変手間がかかるという問題があった。また、ＨＤＤを搭載することにより、装置自体が大型化し、また、コスト高になるという欠点もあった。
【０００７】
また、ノートパソコンを持参することによってもＣＤ−Ｒ等の作成は可能であるが、携帯性が悪く、また、作業には手間がかかるという欠点があった。
【０００８】
本発明は、このような事情に鑑みてなされたもので、簡単にデータの複写を行うことができるデータ複写装置を提供することを目的とする。
【課題を解決するための手段】
【０００９】
請求項１に係る発明は、前記目的を達成するために、装置本体と、前記装置本体に設けられた内部記憶手段と、前記装置本体に設けられ、外部記憶手段が装着される外部記憶手段装着部と、前記装置本体に設けられ、複写元となる記憶メディアが装着される複数の複写元記憶メディア装着部と、前記装置本体に設けられ、複写先となる記憶メディアが装着される複写先記憶メディア装着部と、前記複写元記憶メディア装着部に装着された各記憶メディアからデータを読み出して前記内部記憶手段及び／又は前記外部記憶手段装着部に装着された外部記憶手段に記録し、前記内部記憶手段及び／又は前記外部記憶手段に記録したデータを一括して前記複写先記憶メディア装着部に装着された記憶メディアに記録する記録制御手段と、からなることを特徴とするデータ複写装置を提供する。
【００１０】
請求項１に記載の発明によれば、複数の複写元記憶メディア装着部に装着された記憶メディアからデータが読み出されて、内部記憶手段及び／又は外部記憶手段に記録され、その内部記憶手段及び／又は外部記憶手段に記録されたデータが、一括して複写先記憶メディア装着部に装着された記憶メディアに記録される。これにより、複数の記憶メディアに記録されているデータを簡単に複写先の記憶メディアに記録することができる。また、内部記憶手段の容量が足りない場合には、外部記憶手段を利用することにより、一度に大量のデータを複写する場合にも対応することができる。
【００１１】
請求項２に係る発明は、前記目的を達成するために、前記複写元記憶メディア装着部の少なくとも一つを選択する選択手段を前記装置本体に備え、該選択手段で選択された複写元記憶メディア装着部を前記外部記憶手段装着部として使用することを特徴とする請求項１に記載のデータ複写装置を提供する。
【００１２】
請求項２に係る発明によれば、複写元記憶メディア装着部の少なくとも一つを選択する選択手段が装置本体に備えられており、この選択手段で選択した複写元記憶メディア装着部が外部記憶手段装着部として機能する。これにより、専用の外部記憶手段装着部を設ける必要がなくなり、効率よく装置を稼働させることができるとともに、装置本体をコンパクト化することができる。
【００１３】
請求項３に係る発明は、前記目的を達成するために、前記記録制御手段は、前記複写元記憶メディア装着部に装着された各記憶メディアから読み出したデータを前記内部記憶手段に記録し、該内部記憶手段の空き容量が足りなくなると、前記外部記憶手段装着部に装着された外部記憶手段に残りのデータを記録することを特徴とする請求項１又は２に記載のデータ複写装置を提供する。
【００１４】
請求項３に係る発明によれば、記録制御手段は、複写元記憶メディア装着部に装着された各記憶メディアから読み出したデータをまず内部記憶手段に記録し、内部記憶手段の空き容量が足りなくなると、外部記憶手段装着部に装着された外部記憶手段に残りのデータを記録する。
【００１５】
請求項４に係る発明は、前記目的を達成するために、前記記録制御手段は、前記外部記憶手段装着部に装着された外部記憶手段の空き容量が足りなくなると、前記外部記憶手段装着部に交換して装着された外部記憶手段に残りのデータを記録することを特徴とする請求項３に記載のデータ複写装置を提供する。
【００１６】
請求項４に係る発明によれば、記録制御手段は、外部記憶手段装着部に装着された外部記憶手段の空き容量が足りなくなると、新たに交換された外部記憶手段に対して残りのデータを継続して記録する。
【００１７】
請求項５に係る発明は、前記目的を達成するために、外部機器と無線でデータの送受信を行う無線通信手段を前記装置本体に備え、前記記録制御手段は、前記複写元記憶メディア装着部に装着された各記憶メディアからデータを読み出すとともに、前記無線通信手段を介して前記外部機器からデータを読み出して、前記内部記憶手段及び／又は前記外部記憶手段装着部に装着された外部記憶手段に記録することを特徴とする請求項１、２、３又は４に記載のデータ複写装置を提供する。
【００１８】
請求項５に係る発明によれば、外部機器と無線でデータの送受信を行う無線通信手段が装置本体に備えられており、この無線通信手段を利用することにより、外部機器からデータを直接読み出すことができる。
【００１９】
請求項６に係る発明は、前記目的を達成するために、前記複写先記憶メディア装着部に記録メディアとして光ディスクメディアが装着されることを特徴とする請求項１、２、３、４又は５に記載のデータ複写装置を提供する。
【００２０】
請求項６に係る発明によれば、複写先記憶メディア装着部に装着する記憶メディアとして安価な光ディスクメディアを利用することができる。
【発明の効果】
【００２１】
本発明に係るデータ複写装置によれば、簡単にデータの複写、交換を行うことができる。
【発明を実施するための最良の形態】
【００２２】
以下、添付図面に従って本発明に係るデータ複写装置を実施するための最良の形態について説明する。
【００２３】
図１は、本発明に係るデータ複写装置の一実施形態の電気的構成を示すブロック図である。
【００２４】
本実施の形態のデータ複写装置１０は、複数のメモリカードから画像データを読み出し、光ディスクメディアに一括して記録する装置として動作し、その装置本体１２には、システムコントローラ１４、操作部１６、複数のカードリーダ／ライタ１８Ａ〜１８Ｄ、光ディスクドライブ２０、ＰＣ接続用ＵＳＢインターフェイス２２、内部メモリ２４、バスコントローラ２６、ＬＣＤコントローラ２８、ＬＣＤ３０、電池３２、ＤＣ／ＤＣコンバータ３４、レギュレータ３６、スイッチ３８、外部入力用ＵＳＢインターフェイス４０等が備えられている。
【００２５】
システムコントローラ１４は、ＣＰＵ、ＲＯＭ、ＲＡＭを含み、操作部１６からの入力に従ってデータ複写装置全体の動作を統括制御する。このシステムコントローラ１４のＲＯＭには、ＣＰＵが実行する制御プログラム及び制御必要な各種データが格納されており、ＣＰＵは、このＲＯＭに格納された制御プログラムをＲＡＭに展開し、ＲＡＭを作業領域としながら、制御プログラムを逐次実行して、各部の動作を制御する。
【００２６】
操作部１６は、複写実行ボタンやＯＫボタン、キャンセルボタン、十字ボタン等の各種操作ボタンで構成されており、その操作情報をシステムコントローラ１４に出力する。
【００２７】
各カードリーダ／ライタ１８Ａ〜１８Ｄは、メモリカード５０Ａ〜５０Ｄを装着するためのカードスロット１８ａ〜１８ｄを備えており、各カードスロット１８ａ〜１８ｄに装着されたメモリカード５０Ａ〜５０Ｄに対してデータの読み書きを行う。なお、本実施の形態では、四種類の異なるメモリカード（コンパクトフラッシュ（商品名、以下「ＣＦカード」という）、ＳＤカード（商品名）、メモリースティック（商品名、以下「ＭＳカード」という）、スマートメディア（商品名、以下「ＳＭカード」という））が装着できるようにされているものとする。
【００２８】
光ディスクドライブ２０は、光ディスクメディア６０を装着するための光ディスクメディアスロット２０ａを備えており、装着された光ディスクメディアに対してデータの読み書きを行う。なお、本実施の形態では、光ディスクドライブ２０として、ＣＤ−Ｒ、ＣＤ−ＲＷ、ＤＶＤ±Ｒ、ＤＶＤ±ＲＷ、ＤＶＤ−ＲＡＭの各光ディスクメディアが装着可能（読み書き可能）な光ディスクドライブ（いわゆる、ＤＶＤスーパーマルチドライブ）を用いるものとする。
【００２９】
ＰＣ接続用ＵＳＢインターフェイス２２は、パソコンやプリンタ等の外部機器とデータ複写装置１０とをＵＳＢケーブルで接続するためのＰＳ接続用ＵＳＢコネクタ２２ａを備えており、このＰＣ接続用ＵＳＢコネクタ２２ａに接続されたパソコン等の外部機器との間でデータの送受信を行う。
【００３０】
なお、本実施の形態のデータ複写装置１０は、このＰＣ接続用ＵＳＢコネクタ２２ａを介してＵＳＢケーブルでパソコンに接続すると、メモリカードリーダ／ライタとして機能するとともに、外付けの光ディスクドライブとして機能する。
【００３１】
内部メモリ２４は、画像データの一時記憶領域として利用され、たとえば、ＥＰＲＯＭ、ＥＥＰＲＯＭ、フラッシュＥＥＰＲＯＭ等の不揮発性メモリで構成される。なお、この他マイクロドライブ（商品名）等の小型のＨＤＤを内蔵メモリとして用いてもよい。
【００３２】
バスコントローラ２６は、システムコントローラ１４からの指令に従い各カードリーダ／ライタ１８Ａ〜１８Ｅのカードスロット１８ａ〜１８ｄに装着されたメモリカード５０Ａ〜５０Ｄへのデータ転送、内部メモリ２６へのデータ転送、ＰＣ接続用ＵＳＢインターフェイス２８を介して接続された外部機器へのデータ転送、外部入力用ＵＳＢインターフェイス４０を介して接続された外部記憶装置へのデータ転送を制御する。
【００３３】
ＬＣＤコントローラ２８は、システムコントローラ１４からの指令に従いＬＣＤ３０の表示制御を行い、ＬＣＤ３０に所定の操作情報等を表示させる。
【００３４】
電池３２は、上記のようにデータ複写装置１０の電源として用いられ、たとえば、１．５Ｖの電池が二本用いられる。電池４２の電圧は、ＤＣ／ＤＣコンバータ３４で所定電圧（たとえば、３．３Ｖ）に昇圧され、データ複写装置１０の各部に供給される。
【００３５】
なお、本実施の形態のデータ複写装置１０は、ＰＣ接続用ＵＳＢコネクタ２２ａを介してパソコンに接続すると、そのパソコンから供給される電力で動作するように構成されている。
【００３６】
すなわち、ＰＣ接続用ＵＳＢコネクタ２２ａを介してデータ複写装置１０がパソコンに接続されると、電池３２からの電力供給がスイッチ３８によって断ち切られ、ＰＣ接続用ＵＳＢコネクタ２２ａを介して供給される電力に切り替わる。この場合、ＰＣ接続用ＵＳＢコネクタ２２ａを介して供給される電圧は、レギュレータ３６によって一定電圧（たとえば、３．３Ｖ）に調整され、データ複写装置１０の各部に供給される。
【００３７】
外部入力用ＵＳＢインターフェイス４０は、外部入力用ＵＳＢコネクタ４０ａを備えており、この外部入力用ＵＳＢコネクタ４０ａに接続された外部記憶装置４２との間でデータの送受信を行う。なお、外部記憶装置４２として、本例ではＵＳＢメモリを用いるものとする。システムコントローラ１４は、内部メモリ２４の空き容量が足りなくなった場合、この外部入力用ＵＳＢインターフェイス４０に接続されたＵＳＢメモリ４２を一時記憶領域として利用する。
【００３８】
以上のように構成された本実施の形態のデータ複写装置１０の作用は次のとおりである。
【００３９】
上記のように本実施の形態のデータ複写装置１０は、複数のメモリカード５０Ａ〜５０Ｄから画像データを読み出し、光ディスクメディア６０に一括して記録する装置として動作する。
【００４０】
ユーザは、複写元となるメモリカード５０Ａ〜５０Ｄを対応するカードスロット１８ａ〜１８ｄに装着するとともに、複写先となる光ディスクメディア６０を光ディスクメディアスロット２０ａに装着し、複写実行ボタンを押して、画像の複写を行う。
【００４１】
図２は、本実施の形態のデータ複写装置１０による画像複写の処理手順を示すフローチャートである。
【００４２】
まず、複写元となるメモリカードを対応するカードスロットに装着する（ステップＳ１０）。
【００４３】
システムコントローラ１４は、操作部１６からの入力に基づいて複写実行指示の有無を判定する（ステップＳ１１）。なお、ここでの複写実行指示は、たとえば操作部１６に設けられた複写実行ボタンを押下して行うものとする。操作部１６は、複写実行ボタンが押下されると、システムコントローラ１４に複写実行指示を入力する。
【００４４】
システムコントローラ１４は、操作部１６から複写実行の指示ありと判定すると、内部メモリ２４の空き容量を検出し、空きの有無を判定する（ステップＳ１２）。
【００４５】
そして、内部メモリ２４に空きありと判定すると、カードスロット１８ａ〜１８ｄに装着されたメモリカード５０Ａ〜５０Ｄから画像データを読み出し、内部メモリ２４に記録する（ステップＳ１３）。
【００４６】
この際、システムコントローラ１４は、画像データを読み出したメモリカードに対応するフォルダ名のフォルダを作成し、そのフォルダに読み出した画像データを格納する。たとえば、図３に示すように、ＣＦカードから画像を読み出した場合、「ＣＦ−＊」というフォルダ名のフォルダを内部メモリ２４の記憶領域に作成し、そのフォルダに読み出した画像データを格納する。なお、フォルダ名の＊の部分は、連続番号であって、１回の処理ごとにカウントアップされる。すなわち、一回目の読み出しならば、ＣＦ−１となり、二回目の読み出しならば、ＣＦ−２となる。同様にＳＤカードから画像を読み出した場合は「ＳＤ−＊」、ＭＳカードから画像を読み出した場合は「ＭＳ−＊」、ＳＭカードから画像を読み出した場合は、「ＳＭ−＊」というフォルダ名のフォルダが内部メモリ２４の記憶領域に作成され、そのフォルダに読み出した画像が格納される。
【００４７】
システムコントローラ１４は、次に読み出す画像データの有無を判定し（ステップＳ１４）、次に読み出す画像データがあると判定すると、ステップＳ１２に戻り、内部メモリ２４の空き容量を検出して、読み出した画像データを記録する。
【００４８】
一方、ステップＳ１２において、内部メモリ２４の空きがないと判定すると、システムコントローラ１４は、外部入力用ＵＳＢインターフェイス４０を介して外部入力用ＵＳＢコネクタ２２ａに接続されたＵＳＢメモリ（外部メモリ）４２の空き容量を検出する。そして、その空きの有無を判定する（ステップＳ１５）。
【００４９】
ここで、ＵＳＢメモリ４２の空きなしと判定すると、システムコントローラ１４は、ＵＳＢメモリ４２の交換を促すメッセージ（たとえば、「ＵＳＢメモリの空きがありません。交換して下さい」）をＬＣＤ３０に表示させる。ユーザは、このＬＣＤ３０に表示されるメッセージに従ってＵＳＢメモリ４２の交換を行う（ステップＳ１６）。
【００５０】
外部メモリが交換されると、システムコントローラ１４は、再度ＵＳＢメモリ４２の空き容量を検出して、空きの有無を判定し（ステップＳ１５）、空きありと判定すると、カードスロット１８ａ〜１８ｄに装着されたメモリカード５０Ａ〜５０Ｄから画像データを読み出し、読み出した画像データをＵＳＢメモリ４２に記録する（ステップＳ１７）。
【００５１】
この後、システムコントローラ１４は、次に読み出す画像データの有無を判定し（ステップＳ１８）、次に読み出す画像データがあると判定すると、ステップＳ１５に戻り、ＵＳＢメモリ４２の空き容量を検出して、読み出した画像データを記録する。
【００５２】
このように、システムコントローラ１４は、カードスロット１８ａ〜１８ｄに装着されたメモリカード５０Ａ〜５０Ｄから読み出した画像データをまず内部メモリ２４に記録し、内部メモリ２４の空き容量がなくなると、外部入力用ＵＳＢコネクタ４０ａに接続されたＵＳＢメモリ（外部メモリ）４２に記録する。そして、そのＵＳＢメモリ４２の空き容量がなくなった場合は、新たに交換して接続されたＵＳＢメモリ４２に読み出した画像データを記録する。
【００５３】
なお、このようにＵＳＢメモリ４２は、交換して利用されることから、システムコントローラ１４は、交換されたＵＳＢメモリ４２に対して交換された順番を管理しておくものとする。たとえば、管理用のファイルを別途ＵＳＢメモリ４２に記録しておき、この管理ファイルを利用して交換された順番を管理するようにしてもよい。また、画像データを格納するフォルダのフォルダ名に順番を識別可能な情報を付加して、管理するようにしてもよい。
【００５４】
ステップＳ１４又はステップＳ１８で次に読み出す画像データがないと判定すると、システムコントローラ１４は、次のメモリカードの読み出しを行うか否かを問い合わせるメッセージをＬＣＤ３０に表示させる。
【００５５】
ユーザは、このメッセージに応じて次に複写するメモリカードの有無を操作部１６から入力する。システムコントローラ１４は、この操作部１６からの入力に基づいて複写の対象とする全てのメモリカードの読み出しが完了したか否かを判定する（ステップＳ１９）。
【００５６】
ここで、操作部１６から次に複写するメモリカードなしと入力されると、システムコントローラ１４は、複写の対象とする全てのメモリカードからの画像の読み出しが完了したものと判断し、ステップＳ２０の処理に移行する。
【００５７】
一方、操作部１６から次に複写するメモリカードありと入力されると、システムコントローラ１４は、ステップＳ１０に戻り、上記の手順で次のメモリカードから画像の読み出しを行う。
【００５８】
このように、複写の対象とするメモリカードから順次画像データを読み出し、全てのメモリカードから画像データの読み出しが完了したところで、次のステップＳ２０の処理に移行する。すなわち、複写する光ディスクメディアの枚数入力処理に移行する（ステップＳ２０）。この処理は、たとえば、ＬＣＤ３０と操作部１６とを利用して行われ、ＬＣＤ３０に表示される複写枚数を操作部１６のボタン操作（たとえば、十字ボタンの上下操作）で増減させることにより行われる。
【００５９】
複写枚数の入力が終了すると、ユーザは、複写先とする光ディスクメディア６０を光ディスクメディアスロット２０ａに装着する（ステップＳ２１）。そして、操作部１６から複写実行指示を入力する。
【００６０】
なお、複写実行の指示は、たとえば、操作部１６に設けられた複写実行ボタンを押下して行うものとする。
【００６１】
また、ＵＳＢメモリ４２を交換している場合には、最初に接続したＵＳＢメモリ４２を外部入力用ＵＳＢコネクタ４０ａに接続しておくものとする。
【００６２】
システムコントローラ１４は、操作部１６からの入力に基づいて複写実行指示の有無を判定する（ステップＳ２２）。そして、複写実行が指示されたと判定すると、内部メモリ２４及びＵＳＢメモリ４２（使用した場合のみ）に記録された画像を読み出し、光ディスクドライブ２０に装着された光ディスクメディア６０に一括して記録する（ステップＳ２３）。
【００６３】
なお、ＵＳＢメモリ４２を使用している場合、システムコントローラ１４は、外部入力用ＵＳＢコネクタ４０ａに接続されているＵＳＢメモリ４２が、最初に接続されたＵＳＢメモリか否かを判定し、誤っている場合には、ＬＣＤ３０にエラーメッセージを表示させ、ユーザに交換を促すものとする。
【００６４】
また、ＵＳＢメモリ４２を交換している場合、最初に接続したＵＳＢメモリ４２に記録されているデータの複写が終了すると、システムコントローラ１４は、交換を促すメッセージをＬＣＤ３０に表示させる。ユーザは、このＬＣＤ３０に表示されたメッセージに応じてＵＳＢメモリ４２の交換を行う。すなわち、外部入力用ＵＳＢコネクタ４０ａに接続されているＵＳＢメモリ４２を次に接続したＵＳＢメモリ４２に差し替える。
【００６５】
なお、上記同様にシステムコントローラ１４は、差し替えられたＵＳＢメモリ４２が、次に接続されたＵＳＢメモリか否かを判定し、誤っている場合には、ＬＣＤ３０にエラーメッセージを表示させ、ユーザに交換を促すものとする。
【００６６】
このように、ＵＳＢメモリ４２を交換して使用している場合には、交換した順にＵＳＢメモリ４２を差し替えて、順次複写処理を実行する。
【００６７】
複写が完了すると、システムコントローラ１４は、指定された枚数分の複写が完了したか否か判定する（ステップＳ２４）。指定された枚数分の複写が完了していないと判定すると、システムコントローラ１４は、ステップＳ２１の処理に戻り、次の光ディスクメディア６０への複写処理を実行する。この場合、ＬＣＤ３０には、光ディスクメディアの交換を促すメッセージが表示され、このメッセージに応じてユーザは、光ディスクメディアの交換を行う。
【００６８】
このように、指定された枚数分の複写処理を行い、全ての複写が完了すると、システムコントローラ１４は処理を終了する。この際、システムコントローラ１４は、ＬＣＤ３０に処理が完了した旨のメッセージを表示させる。
【００６９】
以上説明したように、本実施の形態のデータ複写装置１０によれば、単純なボタン操作のみで複数のメモリカードに記録されている画像を光ディスクメディアに一括して記録することができる。
【００７０】
また、内部メモリ２４の容量がなくなった場合には、ＵＳＢメモリ４２を使用して複写を継続することができるので、一度に大量の画像データを複写する場合であっても対応することができる。
【００７１】
また、各メモリカードから読み出した画像は、メモリカードごとに所定のフォルダに格納されるため、同じファイル名の画像が上書きされて消失するような不具合も発生することがなく、安全に複写作業を行うことができる。
【００７２】
なお、本実施の形態で示したフォルダ名の付与方法は一例であり、他の規則に従ったフォルダ名を付与するようにしてもよい。
【００７３】
また、本実施の形態では、複数のメモリカードから光ディスクメディアに画像を複写する場合を例に説明したが、複写元と複写先は、これに限定されるものではない。たとえば、複写元を光ディスクメディアとしてもよいし、複写先をメモリカードとしてもよい。
【００７４】
なお、装置本体に光ディスクドライブを備えた構成では、複写先として安価な記憶メディアを利用することができるという利点があり、また、光ディスクドライブを省いた構成にした場合は、装置本体をコンパクトにすることができるという利点がある。
【００７５】
また、複写先と複写元を任意に選択できるようにしてもよい。すなわち、メモリカード相互間、及び、メモリカードと光ディスクメディアの相互間で画像の複写ができるように構成してもよい。この場合、メモリカードから読み出した画像をメモリカード又は光ディスクメディアに複写することもできるし、光ディスクメディアから読み出した画像を光ディスクメディア又はメモリカードに複写することもできる。
【００７６】
なお、光ディスクドライブ２０として、ＣＤ−Ｒ、ＣＤ−ＲＷ、ＤＶＤ±Ｒ、ＤＶＤ±ＲＷ、ＤＶＤ−ＲＡＭの各光ディスクメディアが装着可能（読み書き可能）な光ディスクドライブ（いわゆる、ＤＶＤスーパーマルチドライブ）を用いているが、光ディスクドライブは、これに限定されるものではない。たとえば、ＣＤ−Ｒの読み書きのみが可能な光ディスクドライブ（いわゆる、ＣＤ−Ｒドライブ）を用いてもよいし、ＤＶＤ−Ｒの読み書きのみが可能な光ディスクドライブ（いわゆる、ＤＶＤ−Ｒドライブ）を用いてもよい。
【００７７】
また、光ディスクドライブに代えてＭＤやＭＯ等の光磁気ディスクドライブを用いてもよい。
【００７８】
なお、本実施の形態では、ＰＣ接続用の通信インターフェイス及び外部入力用の通信インターフェイスとしてＵＳＢを用いているが、通信インターフェイスは、これに限定されるものではない。たとえば、この他にＩＥＥＥ１３９４やＲＳ−２３２Ｃ等の通信インターフェイスを用いてもよい。この場合、ＵＳＢインターフェイスと共にこれらの通信インターフェイスを設けてもよい。
【００７９】
また、このような有線の通信インターフェイスではなく、赤外線通信（ＩｒＤＡ）や無線ＬＡＮ、Ｂｌｕｅｔｏｏｔｈ等の無線の通信インターフェイスを設けてもよい。この場合、有線と無線の両方の通信インターフェイスを設けてもよい。
【００８０】
なお、これらの通信インターフェイスを設けた場合には、これらの通信インターフェイスを介して接続された機器を複写元／複写先に設定できるようにしてもよい。たとえば、図４に示すように、装置本体１２に赤外線通信インターフェイス４４を設け、赤外線通信機能を備えた外部機器、たとえば、デジタルカメラやカメラ付き携帯電話機、ノートパソコン、ＰＤＡ等と赤外線通信可能に構成し、これらの外部機器を複写元／複写先に設定できるようにしてもよい。
【００８１】
また、本実施の形態では、装着可能なメモリカードとして、ＣＦカード、ＳＤカード、ＭＳカード、ＳＭカードを例示したが、装置本体１２に用意するカードスロットは、これらのものに限定されるものではなく、他のメモリカードのカードスロットを用意してもよい（たとえば、ＰＣカードスロット等）。
【００８２】
また、本実施の形態では、種類の異なるメモリカードのカードスロットを装置本体１２に設けているが、同種のカードスロットを複数設けてもよい。
【００８３】
また、本実施の形態では、外部入力用ＵＳＢコネクタ４０ａに接続する外部記憶装置（外部メモリ）４２として、ＵＳＢメモリを使用しているが、外部入力用ＵＳＢコネクタ４０ａに接続する外部記憶装置４２は、これに限定されるものではなく。たとえば、ＵＳＢ接続式のＨＤＤや光学式ドライブ等を接続するようにしてもよい。この場合、これらの機器が外部記憶装置（外部メモリ）として機能する。
【００８４】
また、本実施の形態では、外部入力用ＵＳＢコネクタ４０ａに接続したＵＳＢメモリ４２を内部メモリ２４の補助、すなわち外部記憶手段（外部メモリ）として使用しているが、内部メモリ２４の補助として使用する外部記憶手段は、これに限定されるものではない。たとえば、カードスロット１８ａ〜１８ｄに装着されたメモリカード５０Ａ〜５０Ｄのいずれかを外部記憶手段として使用するようにしてもよい。
【００８５】
また、外部入力用ＵＳＢコネクタ４０ａに接続したＵＳＢメモリ４２とカードスロット１８ａ〜１８ｄに装着されたメモリカード５０Ａ〜５０Ｄのいずれかをユーザが選択し、その選択された記憶メディアを外部記憶手段として使用するようにしてもよい。この場合において、外部入力用ＵＳＢコネクタ４０ａに接続したＵＳＢメモリ４２以外の記憶メディアを外部記憶手段に選択したときには、外部入力用ＵＳＢコネクタ４０ａに接続したＵＳＢメモリ４２を複写元に設定することができる。
【００８６】
図５はユーザが内部メモリ２４の補助として使用する外部メモリを選択してデータの複写を行う場合のデータ複写装置の処理の手順を示すフローチャートである。
【００８７】
同図に示すように、まず、外部メモリの選択処理が行われる（ステップＳ１）。この処理は、たとえば、図６に示すように、ＬＣＤ３０に外部メモリの装着先としてのカードスロット（ＵＳＢコネクタを含む）を一覧表示させ、その中の一つをユーザに選択させることにより行われるものとする。なお、選択は、たとえば、ＬＣＤ３０に表示されたカーソルを十字ボタンの操作で選択を希望するカードスロットの上に移動させ、ＯＫボタンを押下することにより行うものとする。
【００８８】
このように、あらかじめ外部メモリの装着先として使用するカードスロットを選択しておき、この選択されたカードスロット（ＵＳＢコネクタを含む）に装着されたメモリカード（ＵＳＢメモリ等を含む）を外部メモリとして使用する。
【００８９】
なお、外部メモリの装着先として使用するカードスロットを選択できる以外の処理は、上記実施の形態と同じなので、ここではその処理の説明については省略する。
【００９０】
なお、上記の例では、外部メモリの装着先として使用するカードスロットを一つのみ選択できることとしているが、複数選択できるようにしてもよい。この場合、優先順位を付けて選択できるようにすることが好ましい。すなわち、外部メモリとして使用する際の順番を決めて選択できるようにすることが好ましい。
【００９１】
また、上記実施の形態では、画像データを複写する場合を例に説明したが、本発明に係るデータ複写装置は、音楽データや動画データ等の各種データを複写する場合にも使用することができる。
【００９２】
また、上記実施の形態では、電源として電池を用いているが、家庭用電源を用いるようにしてもよい。なお、屋外でも使用可能にすることから、電源は電池を用いることが好ましい。この場合、二次電池を用いてもよい。
【図面の簡単な説明】
【００９３】
【図１】データ複写装置の電気的構成を示すブロック図
【図２】データ複写装置による画像データの複写処理の手順を示すフローチャート
【図３】フォルダ構造を示す図
【図４】データ複写装置の他の実施の形態の電気的構成を示すブロック図
【図５】外部メモリを選択して画像データの複写処理を行う場合の手順を示すフローチャート
【図６】外部メモリの選択画面の表示例を示す図
【符号の説明】
【００９４】
１０…データ複写装置、１２…装置本体、１４…システムコントローラ、１６…操作部、１８Ａ〜１８Ｄ…カードリーダ／ライタ、１８ａ〜１８ｄ…カードスロット、２０…光ディスクドライブ、２０ａ…光ディスクメディアスロット、２２…ＰＣ接続用ＵＳＢインターフェイス２２ａ…ＰＣ接続用ＵＳＢコネクタ、２４…内部メモリ、２６…バスコントローラ、２８…ＬＣＤコントローラ、３０…ＬＣＤ、３２…電池、３４…ＤＣ／ＤＣコンバータ、３６…レギュレータ、４０…外部入力用ＵＳＢインターフェイス、４０ａ…外部入力用ＵＳＢコネクタ、４４…赤外線通信インターフェイス、５０Ａ〜５０Ｄ…メモリカード、６０…光ディスクメディア
【図１】
2007193605.tif 000003
【図２】
2007193605.tif 000004
【図３】
2007193605.tif 000005
【図４】
2007193605.tif 000006
【図５】
2007193605.tif 000007
【図６】
2007193605.tif 000008